(57)【要約】【課題】複数の太陽光発電所により供給される電力の量と、要求される電力の量との差を小さくする。【解決手段】電力調整装置１は、電力系統Ｐを管理する送配電事業者から、複数の太陽光発電設備２が電力系統Ｐに供給する電力の量に関する指令を取得する指令取得部１３１と、複数の太陽光発電設備２それぞれにおける発電量と相関性を有する太陽光発電設備２の状況の変化を示す状況情報とを取得する情報取得部１３２と、指令の内容と複数の太陽光発電設備２の少なくとも一部に対応する状況情報とに基づいて、複数の太陽光発電設備２の少なくとも一部が電力系統Ｐに供給するべき電力の量の変更を指示するための供給指示情報を複数の太陽光発電設備２の少なくとも一部に送信する指示送信部１３３と、を有する。【選択図】図１
2020080608.tif 000002
【特許請求の範囲】
【請求項１】
複数の太陽光発電設備が電力系統に供給する電力の量を調整する電力調整装置であって、
前記電力系統を管理する送配電事業者から、前記複数の太陽光発電設備が前記電力系統に供給する電力の量に関する指令を取得する指令取得部と、
前記複数の太陽光発電設備それぞれにおける発電量と相関性を有する前記太陽光発電設備の状況の変化を示す状況情報を取得する情報取得部と、
前記指令の内容と、前記複数の太陽光発電設備の少なくとも一部に対応する前記状況情報とに基づいて、前記複数の太陽光発電設備の少なくとも一部が前記電力系統に供給するべき電力の量の変更を指示するための供給指示情報を前記複数の太陽光発電設備の少なくとも一部に送信する指示送信部と、
を有する電力調整装置。
【請求項２】
前記指令取得部は、前記複数の太陽光発電設備が前記電力系統に供給する電力の量の目標電力量を示す前記指令を取得し、
前記指示送信部は、前記複数の太陽光発電設備が前記電力系統に供給する電力の量の合計値を前記目標電力量に一致させるべく、前記供給指示情報を前記複数の太陽光発電設備の少なくとも一部に送信する、
請求項１に記載の電力調整装置。
【請求項３】
前記指令取得部は、前記複数の太陽光発電設備が前記電力系統に供給する電力の量を増加させるか減少させるかを示す前記指令を取得し、
前記指示送信部は、前記指令に基づいて、前記複数の太陽光発電設備が前記電力系統に供給する電力の量の合計値を増加又は減少させるべく、前記太陽光発電設備が前記電力系統に供給する電力の量を増加させるか減少させるかを示す前記供給指示情報を前記複数の太陽光発電設備の少なくとも一部に送信する、
請求項１又は２に記載の電力調整装置。
【請求項４】
前記情報取得部は、前記太陽光発電設備が発生する電力の周波数の変化量を含む前記状況情報を取得し、
前記指示送信部は、前記周波数の変化量にさらに基づいて、前記周波数を所定の周波数に近づけるべく、前記複数の太陽光発電設備の少なくとも一部が前記電力系統に供給するべき電力の量を変更する量を決定し、決定した量に基づく前記供給指示情報を送信する、
請求項１から３のいずれか一項に記載の電力調整装置。
【請求項５】
前記情報取得部は、前記太陽光発電設備の位置の日射量及び気温の少なくともいずれかの変化量を含む前記状況情報を取得し、
前記指示送信部は、前記日射量及び気温の少なくともいずれかの変化量にさらに基づいて、前記複数の太陽光発電設備の少なくとも一部が前記電力系統に供給するべき電力の量を変更する量を決定し、決定した量に基づく前記供給指示情報を送信する、
請求項１から４のいずれか一項に記載の電力調整装置。
【請求項６】
前記情報取得部は、前記複数の太陽光発電設備の少なくとも一部の第１太陽光発電設備による直前の所定の期間内の発電量の変化量に基づいて予測した前記第１太陽光発電設備と異なる第２太陽光発電設備の発電量の変化量を含む前記状況情報を取得する、
請求項１から５のいずれか一項に記載の電力調整装置。
【請求項７】
前記情報取得部は、前記太陽光発電設備が設置された位置における直前の所定の期間内の気象の変化を示す情報を含む前記状況情報を取得する、
請求項１から６のいずれか一項に記載の電力調整装置。
【請求項８】
前記指示送信部は、前記情報取得部が取得した前記状況情報に基づいて一の前記太陽光発電設備の発電量が減少すると推定した場合に、発電量が増加すると推定した前記一の太陽光発電設備以外の前記太陽光発電設備に対して、前記電力系統に供給する電力量を増やすことを指示する前記供給指示情報を送信する、
請求項１から７のいずれか一項に記載の電力調整装置。
【請求項９】
前記複数の太陽光発電設備それぞれに関連付けて、発電可能な最大電力量と現状の発電量との差である発電余力を記憶する記憶部をさらに有し、
前記指示送信部は、前記発電余力に基づいて選択した前記太陽光発電設備に前記供給指示情報を送信する、
請求項１から８のいずれか一項に記載の電力調整装置。
【請求項１０】
前記複数の太陽光発電設備それぞれに関連付けて蓄電設備の有無を記憶する記憶部をさらに有し、
前記指示送信部は、前記記憶部を参照することにより、前記蓄電設備の有無に基づいて選択した前記太陽光発電設備に前記供給指示情報を送信する、
請求項１から９のいずれか一項に記載の電力調整装置。
【請求項１１】
前記指示送信部は、前記指令取得部が前記指令を取得した時点で前記複数の太陽光発電設備が前記電力系統に供給している電力量の合計値を減少させる必要がある場合に、前記蓄電設備を有する前記太陽光発電設備の少なくとも一部に、前記電力系統に供給する電力を減らすことを指示するための供給指示情報を送信する、
請求項１０に記載の電力調整装置。
【請求項１２】
前記複数の太陽光発電設備それぞれに関連付けて、発電した電力が固定価格で買い取られるＦＩＴ対象設備であるか否かを記憶する記憶部をさらに有し、
前記指示送信部は、前記記憶部を参照することにより、前記ＦＩＴ対象設備であるか否かに基づいて選択した前記太陽光発電設備に前記供給指示情報を送信する、
請求項１から８のいずれか一項に記載の電力調整装置。
【請求項１３】
前記指示送信部は、前記指令取得部が前記指令を取得した時点で前記複数の太陽光発電設備が前記電力系統に供給している電力量の合計値を減少させる必要がある場合に、前記ＦＩＴ対象設備でない前記太陽光発電設備の少なくとも一部に、前記電力系統に供給する電力を減らすことを指示するための供給指示情報を送信する、
請求項１２に記載の電力調整装置。
【請求項１４】
前記複数の太陽光発電設備それぞれに関連付けて、前記状況情報の誤差の大きさを示す誤差情報を記憶する記憶部をさらに有し、
前記指示送信部は、前記情報取得部が前記太陽光発電設備から取得した前記状況情報を、当該太陽光発電設備に関連付けて前記記憶部に記憶された前記誤差情報に基づいて補正した情報に基づいて前記供給指示情報を作成する、
請求項１から８のいずれか一項に記載の電力調整装置。
【請求項１５】
前記複数の太陽光発電設備それぞれに関連付けて発電効率を記憶する記憶部をさらに有し、
前記指示送信部は、前記情報取得部が前記太陽光発電設備から取得した前記状況情報と、当該太陽光発電設備に関連付けて前記記憶部に記憶された前記発電効率と、に基づいて前記太陽光発電設備が前記電力系統に供給するべき電力の量を決定し、決定した電力の量を示す前記供給指示情報を送信する、
請求項１から８のいずれか一項に記載の電力調整装置。
【請求項１６】
前記複数の太陽光発電設備それぞれに関連付けて、前記太陽光発電設備の発電量に対する前記電力系統に供給している電力の量の割合を示す供給率を記憶する記憶部をさらに有し、
前記指示送信部は、前記供給率にさらに基づいて前記供給指示情報を送信する、
請求項１から８のいずれか一項に記載の電力調整装置。
【請求項１７】
複数の太陽光発電設備が電力系統に供給する電力の量をコンピュータが調整する電力調整方法であって、
前記電力系統を管理する送配電事業者から、前記複数の太陽光発電設備が前記電力系統に供給する電力の量に関する指令を取得するステップと、
前記複数の太陽光発電設備それぞれにおける発電量と相関性を有する前記太陽光発電設備の状況の変化を示す状況情報を取得するステップと、
前記指令の内容と、複数の前記状況情報とに基づいて、前記太陽光発電設備が前記電力系統に供給するべき電力の量の変更を指示するための供給指示情報を前記複数の太陽光発電設備の少なくとも一部に送信するステップと、
を有する電力調整方法。
【請求項１８】
複数の太陽光発電設備と、前記複数の太陽光発電設備が電力系統に供給する電力の量を調整する電力調整装置と、を備える電力調整システムであって、
前記複数の太陽光発電設備のそれぞれは、
前記太陽光発電設備における発電量と相関性を有する前記太陽光発電設備の状況の変化を示す状況情報を記録する状況記録部と、
前記状況情報を前記電力調整装置に送信する状況送信部と、
を有し、
前記電力調整装置は、
前記電力系統を管理する送配電事業者から、前記複数の太陽光発電設備が前記電力系統に供給する電力の量に関する指令を取得する指令取得部と、
前記複数の太陽光発電設備それぞれにおける発電量と相関性を有する前記太陽光発電設備の状況の変化量を示す状況情報を取得する情報取得部と、
前記指令の内容と、複数の前記状況情報とに基づいて、前記太陽光発電設備が前記電力系統に供給するべき電力の量の変更を指示するための供給指示情報を前記複数の太陽光発電設備の少なくとも一部に送信する指示送信部と、
を有する電力調整システム。
【発明の詳細な説明】
【技術分野】
【０００１】
本発明は、太陽光発電設備が電力系統に供給する電力の量を調整する電力調整装置、電力調整方法及び電力調整システムに関する。
【背景技術】
【０００２】
複数の太陽光発電所の発電量を制御するシステムが知られている（例えば、特許文献１を参照）。
【先行技術文献】
【特許文献】
【０００３】
【特許文献１】特開２０１６−１５２７４７号公報
【発明の概要】
【発明が解決しようとする課題】
【０００４】
従来のシステムにおいては、各太陽光発電所の予測発電量と予測需要量とに基づいて、各太陽光発電所に発電させる量を割り当てる。従来のシステムは、天気予報や過去の発電量の実績データ等に基づいて、一日単位で予め予測発電量を計算する。
【０００５】
しかしながら、天気予報や過去の発電量の実績データに基づいて予め予測発電量を計算しておく場合、予測発電量と実際の発電量との間に乖離が発生しやすい。その結果、複数の太陽光発電所により供給される電力の量と、要求される電力の量との差が大きくなってしまう場合が生じやすかった。
【０００６】
そこで、本発明はこれらの点に鑑みてなされたものであり、複数の太陽光発電所により供給される電力の量と、要求される電力の量との差を小さくすることを目的とする。
【課題を解決するための手段】
【０００７】
本発明の第１の態様の電力調整装置は、複数の太陽光発電設備が電力系統に供給する電力の量を調整する電力調整装置である。電力調整装置は、前記電力系統を管理する送配電事業者から、前記複数の太陽光発電設備が前記電力系統に供給する電力の量に関する指令を取得する指令取得部と、前記複数の太陽光発電設備それぞれにおける発電量と相関性を有する前記太陽光発電設備の状況の変化を示す状況情報を取得する情報取得部と、前記指令の内容と、前記複数の太陽光発電設備の少なくとも一部に対応する前記状況情報とに基づいて、前記複数の太陽光発電設備の少なくとも一部が前記電力系統に供給するべき電力の量の変更を指示するための供給指示情報を前記複数の太陽光発電設備の少なくとも一部に送信する指示送信部と、を有する。
【０００８】
前記指令取得部は、前記複数の太陽光発電設備が前記電力系統に供給する電力の量の目標電力量を示す前記指令を取得し、前記指示送信部は、前記複数の太陽光発電設備が前記電力系統に供給する電力の量の合計値を前記目標電力量に一致させるべく、前記供給指示情報を前記複数の太陽光発電設備の少なくとも一部に送信してもよい。
【０００９】
前記指令取得部は、前記複数の太陽光発電設備が前記電力系統に供給する電力の量を増加させるか減少させるかを示す前記指令を取得し、前記指示送信部は、前記指令に基づいて、前記複数の太陽光発電設備が前記電力系統に供給する電力の量の合計値を増加又は減少させるべく、前記太陽光発電設備が前記電力系統に供給する電力の量を増加させるか減少させるかを示す前記供給指示情報を前記複数の太陽光発電設備の少なくとも一部に送信してもよい。
【００１０】
前記情報取得部は、前記太陽光発電設備が発生する電力の周波数の変化量を含む前記状況情報を取得し、前記指示送信部は、前記周波数の変化量にさらに基づいて、前記周波数を所定の周波数に近づけるべく、前記複数の太陽光発電設備の少なくとも一部が前記電力系統に供給するべき電力の量を変更する量を決定し、決定した量に基づく前記供給指示情報を送信してもよい。
【００１１】
前記情報取得部は、前記太陽光発電設備の位置の日射量及び気温の少なくともいずれかの変化量を含む前記状況情報を取得し、前記指示送信部は、前記日射量及び気温の少なくともいずれかの変化量にさらに基づいて、前記複数の太陽光発電設備の少なくとも一部が前記電力系統に供給するべき電力の量を変更する量を決定し、決定した量に基づく前記供給指示情報を送信してもよい。
【００１２】
前記情報取得部は、前記複数の太陽光発電設備の少なくとも一部の第１太陽光発電設備による直前の所定の期間内の発電量の変化量に基づいて予測した前記第１太陽光発電設備と異なる第２太陽光発電設備の発電量の変化量を含む前記状況情報を取得してもよい。
【００１３】
前記情報取得部は、前記太陽光発電設備が設置された位置における直前の所定の期間内の気象の変化を示す情報を含む前記状況情報を取得してもよい。
【００１４】
前記指示送信部は、前記情報取得部が取得した前記状況情報に基づいて一の前記太陽光発電設備の発電量が減少すると推定した場合に、発電量が増加すると推定した前記一の太陽光発電設備以外の前記太陽光発電設備に対して、前記電力系統に供給する電力量を増やすことを指示する前記供給指示情報を送信してもよい。
【００１５】
前記複数の太陽光発電設備それぞれに関連付けて、発電可能な最大電力量と現状の発電量との差である発電余力を記憶する記憶部をさらに有し、前記指示送信部は、前記発電余力に基づいて選択した前記太陽光発電設備に前記供給指示情報を送信してもよい。
【００１６】
前記複数の太陽光発電設備それぞれに関連付けて蓄電設備の有無を記憶する記憶部をさらに有し、前記指示送信部は、前記記憶部を参照することにより、前記蓄電設備の有無に基づいて選択した前記太陽光発電設備に前記供給指示情報を送信してもよい。
【００１７】
前記指示送信部は、前記指令取得部が前記指令を取得した時点で前記複数の太陽光発電設備が前記電力系統に供給している電力量の合計値を減少させる必要がある場合に、前記蓄電設備を有する前記太陽光発電設備の少なくとも一部に、前記電力系統に供給する電力を減らすことを指示するための供給指示情報を送信してもよい。
【００１８】
前記複数の太陽光発電設備それぞれに関連付けて、発電した電力が固定価格で買い取られるＦＩＴ対象設備であるか否かを記憶する記憶部をさらに有し、前記指示送信部は、前記記憶部を参照することにより、前記ＦＩＴ対象設備であるか否かに基づいて選択した前記太陽光発電設備に前記供給指示情報を送信してもよい。
【００１９】
前記指示送信部は、前記指令取得部が前記指令を取得した時点で前記複数の太陽光発電設備が前記電力系統に供給している電力量の合計値を減少させる必要がある場合に、前記ＦＩＴ対象設備でない前記太陽光発電設備の少なくとも一部に、前記電力系統に供給する電力を減らすことを指示するための供給指示情報を送信してもよい。
【００２０】
前記複数の太陽光発電設備それぞれに関連付けて、前記状況情報の誤差の大きさを示す誤差情報を記憶する記憶部をさらに有し、前記指示送信部は、前記情報取得部が前記太陽光発電設備から取得した前記状況情報を、当該太陽光発電設備に関連付けて前記記憶部に記憶された前記誤差情報に基づいて補正した情報に基づいて前記供給指示情報を作成してもよい。
【００２１】
前記複数の太陽光発電設備それぞれに関連付けて発電効率を記憶する記憶部をさらに有し、前記指示送信部は、前記情報取得部が前記太陽光発電設備から取得した前記状況情報と、当該太陽光発電設備に関連付けて前記記憶部に記憶された前記発電効率と、に基づいて前記太陽光発電設備が前記電力系統に供給するべき電力の量を決定し、決定した電力の量を示す前記供給指示情報を送信してもよい。
【００２２】
前記複数の太陽光発電設備それぞれに関連付けて、前記太陽光発電設備の発電量に対する前記電力系統に供給している電力の量の割合を示す供給率を記憶する記憶部をさらに有し、前記指示送信部は、前記供給率にさらに基づいて前記供給指示情報を送信してもよい。
【００２３】
本発明の第２の態様の電力調整方法は、複数の太陽光発電設備が電力系統に供給する電力の量をコンピュータが調整する電力調整方法であって、前記電力系統を管理する送配電事業者から、前記複数の太陽光発電設備が前記電力系統に供給する電力の量に関する指令を取得するステップと、前記複数の太陽光発電設備それぞれにおける発電量と相関性を有する前記太陽光発電設備の状況の変化を示す状況情報を取得するステップと、前記指令の内容と、複数の前記状況情報とに基づいて、前記太陽光発電設備が前記電力系統に供給するべき電力の量の変更を指示するための供給指示情報を前記複数の太陽光発電設備の少なくとも一部に送信するステップと、を有する。
【００２４】
本発明の第３の態様の電力調整システムは、複数の太陽光発電設備と、前記複数の太陽光発電設備が電力系統に供給する電力の量を調整する電力調整装置と、を備える。前記複数の太陽光発電設備のそれぞれは、前記太陽光発電設備における発電量と相関性を有する前記太陽光発電設備の状況の変化を示す状況情報を記録する状況記録部と、前記状況情報を前記電力調整装置に送信する状況送信部と、を有する。前記電力調整装置は、前記電力系統を管理する送配電事業者から、前記複数の太陽光発電設備が前記電力系統に供給する電力の量に関する指令を取得する指令取得部と、前記複数の太陽光発電設備それぞれにおける発電量と相関性を有する前記太陽光発電設備の状況の変化量を示す状況情報を取得する情報取得部と、前記指令の内容と、複数の前記状況情報とに基づいて、前記太陽光発電設備が前記電力系統に供給するべき電力の量の変更を指示するための供給指示情報を前記複数の太陽光発電設備の少なくとも一部に送信する指示送信部と、を有する。
【発明の効果】
【００２５】
本発明によれば、複数の太陽光発電所により供給される電力の量と、要求される電力の量との差を小さくすることができるという効果を奏する。
【図面の簡単な説明】
【００２６】
【図１】電力調整システムの概要を説明するための図である。
【図２】電力調整装置の機能構成例を示す図である。
【図３】記憶部が記憶している発電設備データベースの一例を示す図である。
【図４】太陽光発電設備の構成例を示す図である。
【図５】状況記録部が記録するログデータの一例を示す図である。
【図６】電力調整システムにおける通信シーケンスの一例を示す図である。
【図７】電力調整装置の動作フローチャートである。
【図８】電力調整装置の動作フローチャートである。
【図９】雲の動きと発電量の変化について説明するための図である。
【発明を実施するための形態】
【００２７】
［電力調整システムＳの概要］
図１は、電力調整システムＳの概要を説明するための図である。電力調整システムＳは、複数の太陽光発電設備が電力系統Ｐに供給する電力の量（以下、「供給電力量」という場合がある）を調整するためのシステムであり、電力調整装置１と、複数の太陽光発電設備２と、を備える。電力調整装置１と複数の太陽光発電設備２とは、ネットワークＮを介してデータを送受信することができる。ネットワークＮは、例えばインターネットである。
【００２８】
電力調整装置１は、複数の太陽光発電設備２が電力系統Ｐに供給する電力の合計量が、事業者サーバ３から受信する指令に対応する量と一致するように、複数の太陽光発電設備２のそれぞれが電力系統Ｐに供給する電力の量を調整する装置であり、例えばコンピュータである。指令は、複数の太陽光発電設備２が電力系統Ｐに供給する電力の量に関する情報を含んでいる。
【００２９】
事業者サーバ３は、複数の太陽光発電設備２が電力を供給する電力系統Ｐを管理する送配電事業者のサーバである。事業者サーバ３は、一以上の電力調整装置１に対して、電力系統Ｐに供給される電力を増加又は減少させるための指令を送信することで、電力系統Ｐにおける電力の需給バランスを最適化する。事業者サーバ３は、例えば、電力売買のリアルタイム市場において前日に入札があった複数の電力供給者から入札価格に基づいて選択した電力供給者が管理する電力調整装置１に対して指令を送信する。
【００３０】
以下、図１を参照しながら、電力調整システムＳが実行する処理の概要を説明する。事業者サーバ３は、電力の需要量に変化が発生した場合に、変化が発生した後の需要量に基づいて、電力調整装置１が管理する複数の太陽光発電設備２が電力系統Ｐに供給する電力の量の目標値である目標電力量を決定する。事業者サーバ３は、決定した目標電力量に基づいて、複数の太陽光発電設備２が電力系統Ｐに供給する電力の量を変更させるための指令を電力調整装置１に送信する。電力調整装置１は、事業者サーバ３から指令を取得する（図１における（１））。
【００３１】
電力調整装置１は、複数の太陽光発電設備２それぞれにおける発電量を特定するとともに、複数の太陽光発電設備２それぞれにおける発電量と相関性を有する太陽光発電設備２の状況の変化を示す状況情報を取得する（図１における（２））。太陽光発電設備２の状況は、例えば太陽光発電設備２の位置の日射量、太陽光発電設備２の位置の気温、及び太陽光発電設備２の発電効率等である。
【００３２】
電力調整装置１は、その時点での複数の太陽光発電設備２それぞれにおける発電量と、取得した状況情報が示す状況の変化とに基づいて、複数の太陽光発電設備２が電力系統Ｐに供給する電力の合計量が目標電力量に近づくように、複数の太陽光発電設備２それぞれが電力系統Ｐに供給する電力の量を決定する。電力調整装置１は、例えば、発電を停止させる太陽光発電設備２、又は発電を開始させる太陽光発電設備２を選択したり、複数の太陽光発電設備２それぞれが電力系統Ｐに供給する電力の量を決定したりする。電力調整装置１は、複数の太陽光発電設備２のうちの少なくとも一部の太陽光発電設備２に対して、変更後の供給電力量を示す供給指示情報を送信する（図１における（３））。供給指示情報は、発電を開始することを指示する情報、又は発電を停止することを指示する情報であってもよい。
【００３３】
電力調整装置１は、太陽光発電設備２の状況の変化を考慮して、複数の太陽光発電設備２それぞれが電力系統Ｐに供給する電力の量の合計値が目標電力量と一致するように、各太陽光発電設備２の供給電力量を調整する。電力調整装置１がこのように構成されていることにより、例えば日射量が変化することにより、一部の太陽光発電設備２が供給可能な電力の量が変化してしまう場合であっても、複数の太陽光発電設備２が供給する電力量が目標電力量から乖離しづらくなる。
以下、電力調整装置１及び太陽光発電設備２の構成を詳細に説明する。
【００３４】
［電力調整装置１の構成］
図２は、電力調整装置１の機能構成例を示す図である。電力調整装置１は、通信部１１と、記憶部１２と、制御部１３と、を有する。制御部１３は、指令取得部１３１と、情報取得部１３２と、指示送信部１３３と、を有する。
【００３５】
通信部１１は、太陽光発電設備２及び事業者サーバ３との間でデータを送受信するための通信コントローラである。通信部１１は、事業者サーバ３から複数の太陽光発電設備２が電力系統Ｐに供給する電力の量に関する指令を受信したり、太陽光発電設備２から状況情報を受信したりする。また、通信部１１は、制御部１３から入力された供給指示情報を太陽光発電設備２に送信する。
【００３６】
記憶部１２は、例えばＲＯＭ（Read Only Memory）、ＲＡＭ（Random Access Memory）及びハードディスク又はソリッドステートドライブを有する。記憶部１２は、制御部１３が実行するプログラムを記憶している。また、記憶部１２は、制御部１３が複数の太陽光発電設備２それぞれが供給する電力の量を調整するために使用する各種のデータを記憶している。記憶部１２が記憶しているデータの詳細については後述する。
【００３７】
制御部１３は、例えばＣＰＵ（Central Processing Unit）である。制御部１３は、記憶部１２に記憶されたプログラムを実行することにより、指令取得部１３１、情報取得部１３２及び指示送信部１３３として機能する。
【００３８】
指令取得部１３１は、通信部１１を介して、電力系統Ｐを管理する送配電事業者の事業者サーバ３から、複数の太陽光発電設備２が電力系統Ｐに供給する電力の量に関する指令を取得する。指令は、例えば、複数の太陽光発電設備２が電力系統Ｐに供給する電力の量の目標電力量を示す情報を含む。指令は、複数の太陽光発電設備２が電力系統Ｐに供給する電力の量を増加させるか減少させるかを示す情報を含んでもよい。指令取得部１３１は、取得した指令の内容を指示送信部１３３に通知する。
【００３９】
情報取得部１３２は、通信部１１を介して、複数の太陽光発電設備２それぞれにおける発電量を示す発電量情報と、複数の太陽光発電設備２それぞれにおける発電量と相関性を有する太陽光発電設備２の状況の変化を示す状況情報とを取得する。情報取得部１３２は、取得した発電量情報及び状況情報を指示送信部１３３に通知する。
【００４０】
情報取得部１３２は、例えば、太陽光発電設備２が発生する電力の周波数の変化量とを含む状況情報を取得する。情報取得部１３２は、太陽光発電設備２の位置の日射量及び気温の少なくともいずれかの変化量を含む状況情報を取得してもよい。
【００４１】
指示送信部１３３は、指令取得部１３１が取得した指令の内容と、情報取得部１３２が取得した発電量情報と、複数の太陽光発電設備２の少なくとも一部に対応する状況情報とに基づいて、太陽光発電設備２が電力系統Ｐに供給するべき電力の量の変更を指示するための供給指示情報を複数の太陽光発電設備２の少なくとも一部に送信する。
【００４２】
指令取得部１３１が取得した指令が、複数の太陽光発電設備２が電力系統Ｐに供給する電力の量の目標電力量を示す情報を含んでいる場合、指示送信部１３３は、例えば、複数の太陽光発電設備２の少なくとも一部に対応する状況情報に基づいて、太陽光発電設備２が電力系統Ｐに供給する電力の量の合計値を目標電力量と一致させるべく供給指示情報を生成する。指示送信部１３３は、太陽光発電設備２が電力系統Ｐに供給するべき電力の量を示す供給指示情報を複数の太陽光発電設備２の少なくとも一部に送信する。具体的には、指示送信部１３３は、発電量情報に基づいて特定される複数の太陽光発電設備２の発電量の合計値と目標電力量との差を小さくするように、状況情報に基づいて選択した太陽光発電設備２に、供給電力量を変更する指示を含む供給指示情報を送信する。
【００４３】
指令取得部１３１が取得した指令が、複数の太陽光発電設備２が電力系統Ｐに供給する電力の量を増加させるか減少させるかを示す情報を含んでいる場合、指示送信部１３３は、例えば、指令に基づいて、発電量情報に基づいて特定される複数の太陽光発電設備２が電力系統Ｐに供給する電力の量の合計値を増加又は減少させるべく、太陽光発電設備２が電力系統Ｐに供給する電力の量を増加させるか減少させるかを示す供給指示情報を複数の太陽光発電設備２の少なくとも一部に送信する。
【００４４】
ところで、太陽光発電設備２における発電量は、日射量及び気温との間に相関性を有する。具体的には、日射量が多ければ多いほど発電量が大きくなる傾向にあり、気温が高ければ高いほど発電効率が低下して発電量が小さくなる傾向にある。そこで、指示送信部１３３は、日射量及び気温の少なくともいずれかの変化量にさらに基づいて、複数の太陽光発電設備２の少なくとも一部が電力系統Ｐに供給するべき電力の量を変更する量を決定し、決定した量に基づく供給指示情報を送信してもよい。
【００４５】
一例として、指示送信部１３３は、日射量及び気温等の変化の傾向に基づいて、その後の時点における日射量及び気温を推定し、推定した結果に基づいて、発電量の変化量を推定する。指示送信部１３３は、発電量が変化する量の推定値に基づいて、どの太陽光発電設備２にどれだけの量を発電させるかを決定し、決定した結果に基づいて供給指示情報を作成する。
【００４６】
指示送信部１３３は、例えば複数の太陽光発電設備２による電力系統Ｐへの供給電力量を増やす必要がある場合、状況情報に基づいて、発電量が増える傾向にある太陽光発電設備２を選択し、選択した太陽光発電設備２に対して、発電量を増加させる指示を含む供給指示情報を送信する。指示送信部１３３は、複数の太陽光発電設備２による供給電力量を増やす必要がある場合、例えば日射量が増加している太陽光発電設備２に対して、電力系統Ｐに供給する電力を増加させる指示を含む供給指示情報を優先的に送信する。
【００４７】
指示送信部１３３は、状況情報に基づいて、発電量が増える傾向にある太陽光発電設備２において増加させることができる発電量を推定し、推定した発電量に基づいて決定した、電力系統Ｐに供給する電力の増加量を示す供給指示情報を送信してもよい。指示送信部１３３は、例えば、ある太陽光発電設備２において発電量が１ｋＷ増加すると推定し、かつ指令取得部１３１が事業者サーバ３から取得した指令が供給電力量を増やすことを示している場合、増加すると見込まれる発電量以下の範囲で電力系統Ｐに供給する電力の量を増やす指示を含む供給指示情報を太陽光発電設備２に送信する。
【００４８】
指示送信部１３３は、状況情報に基づいて、発電量が減少する傾向にある太陽光発電設備２において減少する発電量を推定し、推定した発電量に基づいて決定した、電力系統Ｐに供給する電力の減少量を示す供給指示情報を送信してもよい。指示送信部１３３は、例えば、ある太陽光発電設備２において発電量が１ｋＷ減少すると推定し、かつ指令取得部１３１が事業者サーバ３から取得した指令が供給電力量を減らすことを示している場合、減少すると見込まれる発電量以下の範囲で電力系統Ｐに供給する電力の量を減らす指示を含む供給指示情報を太陽光発電設備２に送信する。指示送信部１３３がこのようにすることで、事業者サーバ３から受信した指令の内容に対応するように、複数の太陽光発電設備２からの供給電力量を迅速に変化させることができる。
【００４９】
また、指示送信部１３３は、気温が低下している太陽光発電設備２に対して、電力系統Ｐに供給する電力を増加させる指示を含む供給指示情報を優先的に送信してもよい。指示送信部１３３がこのようにすることで、発電効率が良い太陽光発電設備２による発電量を増やすことができるので、電力調整システムＳの全体における発電効率を向上させることができる。
【００５０】
指示送信部１３３は、情報取得部１３２が取得した状況情報に基づいて一の太陽光発電設備２−１の発電量が減少すると推定した場合に、発電量が減少すると推定した太陽光発電設備２−１以外の太陽光発電設備２−２に対して、電力系統Ｐに供給する電力量を増やすことを指示する供給指示情報を送信してもよい。指示送信部１３３がこのように動作することで、ある太陽光発電設備２の発電量が減少した場合にも、複数の太陽光発電設備２が電力系統Ｐに供給する電力の合計値を維持することができる。
【００５１】
［発電設備データベース］
指示送信部１３３は、記憶部１２が記憶している太陽光発電設備２の状況を示す各種の情報に基づいて、供給指示情報を送信する対象とする太陽光発電設備２を選択してもよい。記憶部１２は、例えば、複数の太陽光発電設備２それぞれに関連付けられた各種の情報が登録された発電設備データベース（以下、発電設備ＤＢ）を記憶している。
【００５２】
図３は、記憶部１２が記憶している発電設備ＤＢの一例を示す図である。図３に示す発電設備ＤＢにおいては、太陽光発電設備２を識別するための発電設備ＩＤに関連付けて、蓄電設備の有無、固定価格で買い取られるＦＩＴ対象設備であるか否か、最大発電量、現状の発電量、発電余力、供給率及び発電効率が関連付けられている。
【００５３】
蓄電設備は、電力を蓄積することができる任意の設備を含み、例えば蓄電専用の設備、蓄電可能なバッテリーを搭載した電気自動車、電気自動車に充電可能な設備を有する電力スタンドである。最大発電量は、太陽光発電設備２が発電可能な最大電力量である。発電余力は、最大発電量と現状の発電量との差に相当する。供給率は、それぞれの太陽光発電設備２の発電量に対する、それぞれの太陽光発電設備２が電力系統Ｐに供給している電力の量の割合を示す値である。供給率は、発電量に対する、発電量から供給電力量を減算した量の割合を示す値であってもよい。
【００５４】
指示送信部１３３は、例えば、記憶部１２に記憶された発電設備ＤＢを参照することにより、蓄電設備の有無に基づいて選択した太陽光発電設備２に供給指示情報を送信する。具体的には、指示送信部１３３は、指令取得部１３１が指令を取得した時点で複数の太陽光発電設備２が電力系統Ｐに供給している電力量の合計値を減少させる必要がある場合（例えば、合計値が目標電力量よりも大きい場合）に、蓄電設備を有する太陽光発電設備２の少なくとも一部に、電力系統Ｐに供給する電力を減らすことを指示するための供給指示情報を送信する。蓄電設備を有する太陽光発電設備２は、余剰電力が生じた場合に、余剰電力を蓄電することができる。したがって、指示送信部１３３が、蓄電設備を有する太陽光発電設備２が電力系統Ｐに供給する電力量を優先的に減らすことで、電力の損失を少なくすることができる。
【００５５】
指示送信部１３３は、記憶部１２に記憶された発電設備ＤＢを参照することにより、ＦＩＴ対象設備であるか否かに基づいて選択した太陽光発電設備２に供給指示情報を送信してもよい。具体的には、指示送信部１３３は、指令取得部１３１が指令を取得した時点で複数の太陽光発電設備２が電力系統Ｐに供給している電力量の合計値を減少させる必要がある場合（例えば、合計値が目標電力量よりも大きい場合）に、ＦＩＴ対象設備でない太陽光発電設備２の少なくとも一部に、電力系統Ｐに供給する電力を減らすことを指示するための供給指示情報を送信する。
【００５６】
ＦＩＴ対象設備になっている太陽光発電設備２の所有者が得られる対価は、ＦＩＴ対象設備になっていない太陽光発電設備２の所有者が、太陽光発電設備２が同一の量の電力を供給することにより得られる対価よりも大きい。したがって、ＦＩＴ対象設備になっている太陽光発電設備２が電力系統Ｐに供給する電力の量を減らすと、ＦＩＴ対象設備になっていない太陽光発電設備２が電力系統Ｐに供給する電力の量を減らす場合に比べて、太陽光発電設備２の所有者に与える経済的損失が大きい。これに対して、指示送信部１３３が上記のように構成されていることで、ＦＩＴ対象設備になっている太陽光発電設備２に与える経済的損失を軽減することができる。
【００５７】
指示送信部１３３は、記憶部１２に記憶された発電設備ＤＢを参照し、発電余力に基づいて選択した太陽光発電設備２に供給指示情報を送信してもよい。具体的には、指示送信部１３３は、複数の太陽光発電設備２による供給電力量を増やす必要がある場合、発電余力が大きな太陽光発電設備２に対して、発電量を増加させる指示を含む供給指示情報を優先的に送信する。指示送信部１３３は、複数の太陽光発電設備２による供給電力量を減らす必要がある場合、発電余力が小さな太陽光発電設備２に対して、発電量を減少させる指示を含む供給指示情報を優先的に送信する。指示送信部１３３がこのように動作することで、より多くの太陽光発電設備２の発電余力を適切な範囲内に維持しやすくなり、それぞれの太陽光発電設備２の所有者間の公平性を保ちやすくすることができる。
【００５８】
指示送信部１３３は、記憶部１２に記憶された発電設備ＤＢを参照することにより、発電効率が高い太陽光発電設備２を優先的に選択してもよい。指示送信部１３３がこのように構成されていることにより、発電効率が良い太陽光発電設備２による発電量を増やすことができるので、電力調整システムＳの全体における発電効率を向上させることができる。
【００５９】
なお、指示送信部１３３は、例えば、情報取得部１３２が取得した状況情報と、当該太陽光発電設備２に関連付けて記憶部１２に記憶された発電効率と、に基づいて太陽光発電設備２が電力系統Ｐに供給するべき電力の量を決定し、決定した電力の量を示す供給指示情報を送信する。具体的には、指示送信部１３３は、日射量に基づいて算出される太陽光発電設備２における発電量に発電効率を乗算することにより、太陽光発電設備２が発電可能な電力量を推定した結果に基づいて、各太陽光発電設備２が電力系統Ｐに供給する電力の量を決定する。指示送信部１３３は、発電設備ＤＢに記憶された発電効率を気温により補正し、補正した後の発電効率を用いて太陽光発電設備２が発電可能な電力量を推定してもよい。
【００６０】
さらに、指示送信部１３３は、発電設備ＤＢを参照することにより、太陽光発電設備２に関連付けられた供給率にさらに基づいて供給指示情報を送信してもよい。指示送信部１３３は、例えば、指令の内容を満たすとともに、複数の太陽光発電設備２の供給率の差が小さくなるようにするための供給指示情報を送信する。
【００６１】
具体的には、電力系統Ｐに供給する電力の量を増やす必要がある場合、指示送信部１３３は、相対的に供給率が低い太陽光発電設備２に対して、電力系統Ｐに供給する電力の量を増やすことを指示する供給指示情報を送信する。また、電力系統Ｐに供給する電力の量を減らす必要がある場合、指示送信部１３３は、相対的に供給率が高い太陽光発電設備２に対して、電力系統Ｐに供給する電力の量を減らすことを指示する供給指示情報を送信する。指示送信部１３３がこのように供給率に基づく供給指示情報を送信することで、複数の太陽光発電設備２それぞれの供給率の差が大きくなることを予防できるので、それぞれの太陽光発電設備２の所有者間の公平性を保ちやすくすることができる。
【００６２】
以上のとおり、指示送信部１３３は、発電設備ＤＢを参照することにより、蓄電設備の有無、ＦＩＴ対象であるか否か、発電余力、供給率、及び発電効率の少なくともいずれかの項目に基づいて、各太陽光発電設備２の供給電力量を調整する。指示送信部１３３は、項目ごとに複数の太陽光発電設備２の優先順位に対応する点数を付与し、複数の項目の点数の合計値に基づいて、供給指示情報を送信する太陽光発電設備２を選択したり、各太陽光発電設備２の供給電力量を決定したりしてもよい。
【００６３】
［太陽光発電設備２の構成］
図４は、太陽光発電設備２の構成例を示す図である。太陽光発電設備２は、太陽光パネル２１と、パワーコンディショナー２２と、センサ２３と、ログ記録装置２４と、を有する。ログ記録装置２４は、状況記録部２４１及び制御部２４２を有する。
【００６４】
太陽光パネル２１は、太陽電池を含んでおり、太陽光を受けることにより直流の電力を発生する。太陽光パネル２１は、発生した電力をパワーコンディショナー２２に入力する。
【００６５】
パワーコンディショナー２２は、太陽光パネル２１から入力された直流の電力を交流の電力に変換するインバータを含む。パワーコンディショナー２２は、制御部２４２からの指示に基づいて、交流に変換した電力を電力系統Ｐに供給する量を制御する。パワーコンディショナー２２は、交流に変換した電力の大きさ（すなわち発電量）、及び電力系統Ｐに供給されている電力の周波数を状況記録部２４１に通知する。
【００６６】
センサ２３は、太陽光パネル２１が設置されている場所の日射量及び温度を検出するセンサである。センサ２３は、検出した日射量及び温度を状況記録部２４１に通知する。
【００６７】
ログ記録装置２４は、例えばコンピュータである。状況記録部２４１は、ハードディスク等の記憶媒体を有しており、太陽光発電設備２における発電量と相関性を有する太陽光発電設備２の状況の変化量を示す状況情報を記録する。具体的には、状況記録部２４１は、パワーコンディショナー２２から通知された発電量及び周波数、並びにセンサ２３から通知された日射量及び温度をログデータとして記憶媒体に記録する。
【００６８】
図５は、状況記録部２４１が記録するログデータの一例を示す図である。図５に示すように、ログデータにおいては、日時に関連付けて発電量、周波数、日射量、及び温度が記録されている。
【００６９】
制御部２４２は、電力調整装置１からの要求に応じて、状況記録部２４１が記録している状況情報を電力調整装置１に送信する状況送信部として機能する。また、制御部２４２は、電力調整装置１から受信した供給指示情報に基づいてパワーコンディショナー２２を制御する。具体的には、制御部２４２は、例えば供給指示情報が、電力の供給を停止する指示を含んでいる場合、電力の供給を停止するように電力系統Ｐを制御する。制御部２４２は、供給指示情報が供給電力量を変更するための指示を含んでいる場合、供給指示情報が示す供給電力量になるようにパワーコンディショナーを制御する。
【００７０】
［通信シーケンス］
図６は、電力調整システムＳにおける通信シーケンスの一例を示す図である。まず、事業者サーバ３は、複数の太陽光発電設備２が電力系統Ｐに供給する電力の量を変更する必要があると判定した場合、複数の太陽光発電設備２の供給電力量を変更させるための指令を電力調整装置１に通知する。電力調整装置１は、複数の太陽光発電設備２から状況情報を取得し、取得した状況情報に基づいて、供給指示情報を送信する対象とする太陽光発電設備２を選択するとともに、供給指示情報を作成する。電力調整装置１は、選択した太陽光パネル２１に対して、作成した供給指示情報を送信する。電力調整装置１は、このように動作することで、複数の太陽光発電設備２が電力系統Ｐに供給する電力の量をリアルタイムで調整することができる。
【００７１】
［電力調整装置１の動作フローチャート］
図７及び図８は、電力調整装置１の動作フローチャートである。情報取得部１３２は、複数の太陽光発電設備２のそれぞれから状況情報を取得し、取得した日時に関連付けて、取得した状況情報を記憶部１２に記憶させる（Ｓ１１）。情報取得部１３２は、例えば１秒ごとに状況情報を取得する。
【００７２】
指示送信部１３３は、指令取得部１３１が取得した指令が、複数の太陽光発電設備２が電力系統Ｐに供給する電力量を増加させることを示しているか否かを判定する（Ｓ１２）。指示送信部１３３は、指令が、電力系統Ｐに供給される電力量を増加させることを示していると判定した場合（Ｓ１２においてＹＥＳ）、記憶部１２に記憶された発電設備ＤＢを参照することにより、発電余力が比較的大きい太陽光発電設備２を、電力系統Ｐに供給する電力量を増加させる太陽光発電設備２として優先的に選択する（Ｓ１３）。指示送信部１３３は、例えば、発電余力が所定の閾値以上である太陽光発電設備２を選択する。指示送信部１３３は、選択した太陽光発電設備２の発電余力の合計値が増加させるべき電力量よりも大きくなるように、複数の太陽光発電設備２を選択する。
【００７３】
指示送信部１３３は、発電余力が所定の閾値以上である太陽光発電設備２の数が所定数以上である場合（Ｓ１４においてＹＥＳ）、発電設備ＤＢを参照することにより、蓄電設備がない太陽光発電設備２を選択する（Ｓ１５）。指示送信部１３３は、蓄電設備がない太陽光発電設備２の数が所定数以上である場合（Ｓ１６においてＹＥＳ）、発電設備ＤＢを参照することにより、ＦＩＴ対象の太陽光発電設備２を選択する（Ｓ１７）。
【００７４】
指示送信部１３３は、選択した太陽光発電設備２に対して、電力系統Ｐに供給する電力を増加させることを指示するための供給指示情報を送信する（Ｓ１８）。なお、指示送信部１３３は、Ｓ１４及びＳ１６において太陽光発電設備２の数が所定数に満たない場合、Ｓ１３において選択した太陽光発電設備２に供給指示情報を送信する。
【００７５】
指示送信部１３３は、Ｓ１２において、指令取得部１３１が取得した指令が、電力量を増加させることを示していないと判定した場合（Ｓ１２においてＮＯ）、目標電力量が、複数の太陽光発電設備２が電力系統Ｐに供給する電力量を減少させることを示しているか否かを判定する（Ｓ２０）。指示送信部１３３は、目標電力量が、複数の太陽光発電設備２が電力系統Ｐに供給する電力量を減少させることを示していないと判定した場合（Ｓ２０においてＮＯ）、電力量を変化させる必要がないと判定してＳ１１に戻る。指示送信部１３３は、目標電力量が、複数の太陽光発電設備２が電力系統Ｐに供給する電力量を減少させることを示していると判定した場合（Ｓ２０においてＹＥＳ）、図８のＳ２１に進む。
【００７６】
図８において、指示送信部１３３は、記憶部１２に記憶された発電設備ＤＢを参照することにより、発電余力が比較的小さい太陽光発電設備２を優先的に選択する（Ｓ２１）。指示送信部１３３は、例えば、発電余力が所定の閾値以上である太陽光発電設備２を、電力系統Ｐに供給する電力量を減少させる太陽光発電設備２として優先的に選択する。指示送信部１３３は、例えば、発電余力が所定の閾値未満である太陽光発電設備２を選択する。指示送信部１３３は、選択した太陽光発電設備２が電力系統Ｐに供給している電力量の合計値が減少させるべき電力量よりも大きくなるように、複数の太陽光発電設備２を選択してもよい。
【００７７】
指示送信部１３３は、発電余力が所定の閾値未満である太陽光発電設備２の数が所定数以上である場合（Ｓ２２においてＹＥＳ）、発電設備ＤＢを参照することにより、蓄電設備がある太陽光発電設備２を選択する（Ｓ２３）。指示送信部１３３は、蓄電設備がある太陽光発電設備２の数が所定数以上である場合（Ｓ２４においてＹＥＳ）、発電設備ＤＢを参照することにより、ＦＩＴ対象でない太陽光発電設備２を選択する（Ｓ２５）。指示送信部１３３は、選択した太陽光発電設備２に対して、電力系統Ｐに供給する電力を減少させることを指示するための供給指示情報を送信する（Ｓ２６）。
【００７８】
［太陽光発電設備２の状況を特定する他の方法］
以上の説明においては、情報取得部１３２が、太陽光発電設備２が発電した電力の周波数、並びに太陽光発電設備２が設置されている場所の日射量及び気温を状況情報として取得したが、情報取得部１３２は、他の情報を状況情報として取得してもよい。
【００７９】
情報取得部１３２は、複数の太陽光発電設備２の少なくとも一部の太陽光発電設備２−１による直前の所定の期間内の発電量の変化に基づいて予測した太陽光発電設備２−１と異なる太陽光発電設備２−２の発電量の変化量を状況情報として取得してもよい。太陽光発電設備２−１は、例えば太陽光発電設備２−２よりも西に設置されており、雲が、太陽光発電設備２−１が設置された位置から太陽光発電設備２−２が設置された位置に向かって移動する場合、太陽光発電設備２−１の日射量の変化と同等の変化が、太陽光発電設備２−１と太陽光発電設備２−２との距離に対応する時間だけ遅延してから太陽光発電設備２−２にも発生する。
【００８０】
そこで、情報取得部１３２は、太陽光発電設備２−１の発電量が変化したことを検出してから太陽光発電設備２−１と太陽光発電設備２−２との距離に対応する時間だけ経過した時点で、太陽光発電設備２−２の発電量が、太陽光発電設備２−１の発電量の変化量に対応する量だけ変化すると推定する。太陽光発電設備２−１と太陽光発電設備２−２との距離に対応する時間は、例えば太陽光発電設備２−１と太陽光発電設備２−２との距離に対応する時間を雲の移動速度で除算して得られる時間である。情報取得部１３２は、日時に関連付けて、推定した発電量を指示送信部１３３に通知する。指示送信部１３３は、通知された推定発電量に基づいて、電力系統Ｐへの電力の供給量を増加又は減少させる太陽光発電設備２を選択することができる。
【００８１】
ここで、雲が移動する向きは気象状態によって変化する。情報取得部１３２は、太陽光発電設備２が設置された位置における直前の所定の期間内の気象の変化を示す情報を状況情報として取得してもよい。そして、指示送信部１３３は、情報取得部１３２が取得した気象の変化を示す情報に基づいて、ある太陽光発電設備２の発電量の変化量を推定するために発電量の変化量を参照する他の太陽光発電設備２を選択してもよい。指示送信部１３３は、発電量の変化量を推定する対象となる太陽光発電設備２−２に対して、雲が移動する手前側にある他の太陽光発電設備２の発電量の変化量を用いて、太陽光発電設備２−２の発電量の変化量を推定してもよい。
【００８２】
図９は、雲の動きと発電量の変化について説明するための図である。図９における斜線の領域は雲が存在する領域を示している。図９（ａ）は、第１の時刻Ｔ１における雲の位置を示しており、図９（ｂ）は、第１の時刻Ｔ１よりも後の第２の時刻Ｔ２における雲の位置を示している。図９（ｃ）は、第２の時刻Ｔ２よりも後の第３の時刻Ｔ３における雲の位置を示している。指示送信部１３３は、例えば、図９（ａ）に示す雲の位置及び図９（ｂ）に示す雲の位置に基づいて、図９（ｃ）に示す雲の位置を推定する。
【００８３】
図９に示す太陽光発電設備２−６は、時刻Ｔ１において太陽光発電設備２−１の位置にあり、時刻Ｔ２において太陽光発電設備２−４の位置にある雲が、時刻Ｔ３において上空にあると推定される位置に設置されている。この場合、指示送信部１３３は、例えば時刻Ｔ１において太陽光発電設備２−１の発電量が通常の５０％に減少したことを示す状況情報、及び時刻Ｔ２において太陽光発電設備２−４の発電量が通常の５０％に減少したことを示す状況情報に基づいて、時刻Ｔ３において太陽光発電設備２−６の発電量が通常の５０％に減少すると推定する。指示送信部１３３がこのように動作することで、指示送信部１３３は、太陽光発電設備２の発電量の変化量の推定精度を高めることができるので、電力系統Ｐに供給する電力量の調整精度を向上させることができる。
【００８４】
［誤差の補正］
記憶部１２は、複数の太陽光発電設備２それぞれに関連付けて、状況情報の誤差の大きさを示す誤差情報を記憶してもよい。誤差情報は、予め電力調整装置１の管理者により記憶部１２に書き込まれる情報である。この場合、指示送信部１３３は、情報取得部１３２が太陽光発電設備２から取得した状況情報を、当該太陽光発電設備２に関連付けて記憶部１２に記憶された誤差情報に基づいて補正した情報に基づいて供給指示情報を作成する。指示送信部１３３がこのように動作することで、電力系統Ｐに供給する電力量の調整精度をさらに向上させることができる。
【００８５】
［変形例］
以上の説明においては、電力調整装置１が、事業者サーバ３から取得した指令に基づいて、複数の太陽光発電設備２が電力系統Ｐに供給するべき電力の量の変更を指示するための供給指示情報を送信する場合を例示したが、電力調整装置１は、他の情報に基づいて供給指示情報を送信してもよい。例えば、指示送信部１３３は、情報取得部１３２が取得した電力系統Ｐに供給されている電力の周波数の変化量にさらに基づいて、周波数を所定の周波数に近づけるべく、複数の太陽光発電設備２の少なくとも一部が電力系統Ｐに供給するべき電力の量を変更する量を決定し、決定した量に基づく供給指示情報を送信してもよい。所定の周波数は、例えば５０．０Ｈｚ又は６０．０Ｈｚである。電力調整装置１がこのように構成されていることにより、事業者サーバ３が指令を送信するタイミング以外のタイミングで電力系統Ｐにおける需給バランスが崩れたときにも、迅速に需給バランスを回復させることができる。
【００８６】
［電力調整システムＳによる効果］
以上説明したように、電力調整装置１は、複数の太陽光発電設備２それぞれの発電量を示す発電量情報と、複数の太陽光発電設備２それぞれにおける発電量と相関性を有する太陽光発電設備２の状況の変化を示す状況情報とを取得する情報取得部１３２を有する。さらに、電力調整装置１は、指令の内容と、発電量と、複数の太陽光発電設備２の少なくとも一部に対応する状況情報とに基づいて、複数の太陽光発電設備２の少なくとも一部が電力系統Ｐに供給するべき電力の量の変更を指示するための供給指示情報を複数の太陽光発電設備２の少なくとも一部に送信する指示送信部１３３を有する。電力調整装置１がこのような構成を有することにより、電力の需要量が変動した場合であっても、複数の太陽光発電所により供給される電力の量と、要求される電力の量との差を迅速に小さくすることができる。
【００８７】
以上、本発明を実施の形態を用いて説明したが、本発明の技術的範囲は上記実施の形態に記載の範囲には限定されず、その要旨の範囲内で種々の変形及び変更が可能である。例えば、装置の分散・統合の具体的な実施の形態は、以上の実施の形態に限られず、その全部又は一部について、任意の単位で機能的又は物理的に分散・統合して構成することができる。また、複数の実施の形態の任意の組み合わせによって生じる新たな実施の形態も、本発明の実施の形態に含まれる。組み合わせによって生じる新たな実施の形態の効果は、もとの実施の形態の効果を合わせ持つ。
【符号の説明】
【００８８】
１  電力調整装置
２  太陽光発電設備
３  事業者サーバ
１１  通信部
１２  記憶部
１３  制御部
２１  太陽光パネル
２２  パワーコンディショナー
２３  センサ
２４  ログ記録装置
１３１  指令取得部
１３２  情報取得部
１３３  指示送信部
２４１  状況記録部
２４２  制御部
【図１】
2020080608.tif 000003
【図２】
2020080608.tif 000004
【図３】
2020080608.tif 000005
【図４】
2020080608.tif 000006
【図５】
2020080608.tif 000007
【図６】
2020080608.tif 000008
【図７】
2020080608.tif 000009
【図８】
2020080608.tif 000010
【図９】
2020080608.tif 000011